(57)【特許請求の範囲】
【請求項１】
電子機器において、
筐体と、
第１コネクタを有し前記筐体に収納された基板と、
第２コネクタを有し、前記筐体の、前記基板が広がる面内方向に関し該基板が収納された領域から外れた領域に、該第２コネクタを該基板に背を向けた姿勢で収納された第１電子部品と、
前記第１電子部品に重なる経路を経由して前記第１コネクタと前記第２コネクタとを接続するケーブル部品と、
前記第１電子部品に前記ケーブル部品を挟んで重なる位置に該ケーブル部品を押した状態に配置された、当該電子機器に電力を供給するバッテリからなる第２電子部品とを備えたことを特徴とする電子機器。
【請求項２】
前記筐体が、該筐体に収納された前記基板の面内方向に対し立設した側壁を有し、
前記第１電子部品は、前記側壁に隣接した領域に前記第２コネクタを該側面に向けた姿勢で収納されていることを特徴とする請求項１記載の電子機器。
【請求項３】
前記第１電子部品は、情報を記憶する記憶装置であることを特徴とする請求項１又は２記載の電子機器。
【請求項４】
前記ケーブル部品は、フレキシブル基板であることを特徴とする請求項１から３のうちいずれか１項記載の電子機器。
【請求項５】
前記ケーブル部品の、前記第１コネクタに接続された部分に隣接した部分が前記筐体に対し固定されていることを特徴とする請求項１から４のうちいずれか１項記載の電子機器。
【請求項６】
前記筐体が上面にキーボードを有し、さらに
画像を表示する表示画面を有し前記筐体に開閉自在にヒンジ接続された第２筐体を備えたことを特徴とする請求項１から５のうちいずれか１項記載の電子機器。
【発明の詳細な説明】
【技術分野】
【０００１】
本件は、電子機器に関する。
【背景技術】
【０００２】
従来より、例えばノート型パーソナルコンピュータ（以下、「ノートＰＣ」と略記する）等の可搬型電子機器では、機器の小型化、薄型化が望まれている。【０００３】
電子機器の多くは、筐体内部に、電子部品が搭載された基板が収納された構造を有する。この基板に比較的に大型の電子部品を搭載しようとすると、その電子部品を含む基板全体の厚みが厚くなる。そのため、筐体もその基板を収納できるだけの厚さが必要となって機器全体の厚みが増し、薄型化の要請の反することになる。また、基板上に大型の電子部品を搭載すると、その基板の、その大型の電子部品が搭載された部分以外の部分では筐体との間にデッドスペースが生まれやすく、この点からも小型化、薄型化の要請に反するおそれがある。このような大型の電子部品の例としては、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）を挙げることができる。ＳＳＤは、ノートＰＣ等に従来から搭載されてきたＨＤＤ（ハードディスクドライブ）に代わる大容量の記憶素子である。【０００４】
ＳＳＤ等の大型の電子部品を基板上に搭載すると上記の問題を生じさせるおそれがある。このため、その大きな電子部品を、基板とは別に、筐体の、基板が広がる面内方向に関し基板が収納された領域から外れた領域に収納させることが考えられる。この場合、基板の厚みと、その電子部品の厚みとが積み重なるのを避けることができる。しかしこの場合、その電子部品を基板とは別に安定的に保持する必要がある。この保持のためにその電子部品を筐体等に直接にネジ止めすると、電子部品はその機器に外部から加わった衝撃を受けやすくなる。一方、その電子部品を衝撃吸収材を介して固定するとその分コストアップの要因となる。【０００５】
ここで従来、フレキシブル基板（以下、ＦＰＣと略記することがある）を折り曲げて、又は折り畳んで配置することが開示されている。また、液晶パネルと電池を平面的に並べて配置することにより腕時計の薄型化を図ることも開示されている。
【先行技術文献】
【特許文献】
【０００６】
【特許文献１】特開２００９−２００２９１号公報
【特許文献２】特開２００７−３１１７０９号公報
【特許文献３】特開２００８−２８８５１８号公報
【特許文献４】特開昭５４−１２１７７４号公報
【発明の概要】
【発明が解決しようとする課題】
【０００７】
本件の電子機器の課題は、電子部品を基板とは別に安定的に保持することにある。
【課題を解決するための手段】
【０００８】
本件の電子機器は、筐体と、基板と、第１電子部品と、ケーブル部品と、第２電子部品とを有する。【０００９】
基板は、第１コネクタを有し筐体に収納された基板である。【００１０】
また、第１電子部品は、第２コネクタを有し、上記筐体の、上記基板が広がる面内方向に関しその基板が収納された領域から外れた領域に、その第２コネクタを基板に背を向けた姿勢で収納された電子部品である。【００１１】
また、ケーブル部品は、第１電子部品に重なる経路を経由して第１コネクタと第２コネクタとを接続する。【００１２】
さらに、第２電子部品は、第１電子部品にケーブル部品を挟んで重なる位置にそのケーブル部品を押した状態に配置されている。
【発明の効果】
【００１３】
本件の電子機器によれば、第１電子部品は第２電子部品にケーブルを介して押され、その位置に安定的に保持される。
【図面の簡単な説明】
【００１４】
【図１】開状態のノートＰＣを斜め右前から見たときの外観斜視図である。
【図２】図１に示す開状態のノートＰＣを左側斜め上から見たときの外観斜視図である。
【図３】図１，図２に示す開状態のノートＰＣを底面および背面側から見たときの外観斜視図である。
【図４】図１〜図３に示すノートＰＣと同じノートＰＣが閉状態にあるときの、奥側（ヒンジ側）の端面を示した図である。
【図５】図１〜図４と同じノートＰＣの閉状態にあるときの、本体装置の底面を奥側（ヒンジ側）斜め上から見て示した斜視図である。
【図６】図１〜図５に示すノートＰＣの本体装置の分解斜視図である。
【図７】開状態にあるノートＰＣの、キーボードを取り外した状態を示した斜視図である。
【図８】開状態にあるノートＰＣの、上面カバー部品とキーボードを取り外した状態を示した斜視図である。
【図９】本体装置からさらに基板を取り外した状態を示した図である。
【図１０】本体装置底面を上に向け電池パックを取り外した状態を示した図である。
【図１１】本体装置内部のシャーシのＳＳＤ受け部を示した斜視図である。
【図１２】ＳＳＤとフレキシブル基板を示した斜視図である。
【図１３】フレキシブル基板を図１２とは別の角度から見て示した斜視図である。
【図１４】ＳＳＤ受け部にＳＳＤを収納させた状態を示した斜視図である。
【図１５】フレキシブル基板を基板上のコネクタに接続する様子を示した斜視図である。
【図１６】フレキシブル基板が基板上のコネクタに接続された状態を示した斜視図である。
【図１７】電池パックをその第１面側から見た斜視図である。
【図１８】変形例としての電池パックをその第１面側から見た斜視図である。
【図１９】ノートＰＣの本体装置の奥側端面を、開状態の内側（ＬＣＤユニットの前面があらわれる側）から見たときの斜視図である。
【図２０】閉状態のノートＰＣの、奥行き方向の断面図である。
【図２１】開状態のノートＰＣの、奥行き方向の断面図である。
【図２２】左側のヒンジキャップとその周辺の構造を示す部分斜視図である。
【図２３】ノートＰＣの右側のヒンジ構造に関し、ヒンジ部品を覆うヒンジキャップを取り外し横に並べて示した図である。
【図２４】ヒンジキャップの内側を示した斜視図である。
【図２５】ヒンジキャップの取付構造を示した図である。
【図２６】ヒンジキャップを取り付けた状態を示した模式図である。
【図２７】表示装置を構成するフロントカバー部品と表示モジュールを並べて示した図である。
【図２８】フロントカバー部品と表示モジュールを組立方向に間を空けて重ねて示した分解斜視図である。
【図２９】表示モジュールをその背面側から見て示した斜視図である。
【図３０】ＬＣＤユニットの左右のうちの一方の突出片の部分を示した斜視図である。
【図３１】ＬＣＤユニットの左右のうちのもう一方の突出片の部分を示した斜視図である。
【図３２】表示モジュールが貼着された状態のフロントカバー部品の背面を示した斜視図である。
【図３３】組立後の表示装置の部分断面図である。
【発明を実施するための形態】
【００１５】
以下、本件の実施形態について説明する。ここでは、本件の電子機器の一例としてノートＰＣを取り挙げて実施形態を説明する。しかしながら、本件の電子機器は、ノートＰＣに限定されるものではない。
【００１６】
（概要）
図１は、開状態のノートＰＣを斜め右前から見たときの外観斜視図である。また、図２は、図１に示す開状態のノートＰＣを左側斜め上から見たときの外観斜視図である。さらに、図３は、図１，図２に示す開状態のノートＰＣを底面および背面側から見たときの外観斜視図である。
【００１７】
このノートＰＣ１０は、本体装置２０と表示装置３０とを有し、表示装置３０は、後述するヒンジ部品により本体装置２０に対し開閉自在に本体装置２０に取り付けられている。図１〜図３には、後述するヒンジ部品に被せられたヒンジキャップ３２があらわれている。
【００１８】
本体装置２０は、本体側筐体２１を有する。その本体側筐体２１の上面には、電源ボタン２２１、カーソル移動操作子２２２、一対のボタン２２３、およびキーボード２２４が備えられている。カーソル移動操作２２２は、表示装置３０に組み込まれた、後述するＬＣＤユニット前面の表示画面上のカーソルを移動させる操作子である。また、一対のボタン２２３は、典型的なポインティングデバイスの一例であるマウス（図示せず）の左右のクリックボタンに相当するボタンである。
【００１９】
また、図１に示すように、本体側筐体２１の前端面には、２つのＵＳＢコネクタ２２５、ＬＡＮ／ＣＲＴ変換ケーブル差込み用コネクタ２２６、およびメモリカードスロット２２７が置かれている。
【００２０】
さらに本体側筐体の右側面には、図１に示すように、ＤＣ電源ジャック２２８、吸気口２２９および無線ＬＡＮオン／オフスイッチ２３１が備えられている。
【００２１】
さらには、図２に示すように、本体側筐体の左側面には、オーディオ用のジャック挿入口２３２および吸気口２３３が設けられている。
【００２２】
また、図３に示すように、本体装置２０の底面には電池パック２４が広がり、本体側筐体２１とともに本体装置２０の底面を構成している。
【００２３】
この電池パック２４は、スライドレバー２３４を横にスライド操作することにより、本体側筐体２１から取り外すことができる。
【００２４】
また、この図３に示すように、表示装置３０の背面は、その筐体３１を構成するリアカバー部品３０２で覆われている。
【００２５】
図４は、図１〜図３に示すノートＰＣと同じノートＰＣが閉状態にあるときの、奥側（ヒンジ側）の端面を示した図である。また、図５は、同じノートＰＣの閉状態にあるときの、本体装置の底面を奥側（ヒンジ側）斜め上から見て示した斜視図である。
【００２６】
本体側筐体２１の奥側の端面中央の上部には、排気口２３５が形成されている。本体側筐体２１には空冷用のファン（後述する）が内蔵されており、そのファンが回転すると本体側筐体２１の右側面の吸気口２２９および左側面の吸気口２３３から本体側筐体２１内に空気が吸入され、排気口２３５から排気される。ただし、排気については、排気される空気のほぼ全部がその排気口２３５から排気されるが、吸気に関しては、本体側筐体２１の左右の側面の２つの吸気口２２９，２３３だけでなく、コネクタ挿入用の開口など、様々な開口から分散的に吸気される。
【００２７】
また、表示装置３０については、図１に示すように、表示側筐体３１の前面にタッチパネル３３１が配置されている。またそのタッチパネル３３１の裏面には、そのタッチパネル３３１の周縁部分を除く中央位置に、ＬＣＤユニット３３２（液晶表示装置）が配置されている。ＬＣＤユニット３３２は、その前面に、画像を表示する表示画面３３２ａを有し、その表示画面３３２ａ上に表示された画像はタッチパネル３３１を透かして前面から視認される。これらのタッチパネル３３１とＬＣＤユニット３３２は一体的な複合部品である表示モジュール３３を構成している。タッチパネル３３１の、ＬＣＤユニット３３２から外れた左右の部分は、スクロールボタンや省電力ボタン等のタッチ式のボタン３３０として利用されている。
【００２８】
図６は、図１〜図５に示すノートＰＣの本体装置の分解斜視図である。
【００２９】
この本体装置２０は、内部に基板２５（図６（Ｃ）参照）を有し、その基板２５の部品実装面と平行に広がった板状の形状を有する装置である。この図６には、本体側筐体２１を構成する上面カバー部品２０１（図６（Ａ））、およびキーボード２２４（図６（Ｂ））が示されている。キーボード２２４の下には、様々な電子部品が搭載された基板２５が示されている（図６（Ｃ））。
【００３０】
この図６（Ｃ）には、基板２５のほか、基板２５をメイン基板としたサブ基板２９や、その他のいくつかの部品が組み立てられた状態が示されている。この基板２５には、ファン２７（図６（Ｄ）参照）との干渉を避けるための切欠部２５１が形成されている。この基板２５には、これまでに説明した要素として、２つのＵＳＢコネクタ２２５、ＬＡＮ／ＣＲＴ変換ケーブル差込み用コネクタ２２６、メモリカードスロット２２７、無線ＬＡＮオン／オフスイッチ２３１、およびＤＣ電源ジャック２２８が搭載されている。この基板２５には、その他多数の電子部品も搭載されている。また、この基板２５の、この図６に示す面に対する裏面には、ＣＰＵＬＳＩなど、２つの発熱電子部品が搭載されている。これらの発熱電子部品については後述する。
【００３１】
図６（Ｄ）には、本体側筐体を構成する底面カバーとその底面カバーに収納された状態のシャーシが示されている。
【００３２】
シャーシ２６は、熱伝導率の良い金属製であって、基板２５を支持するとともに、放熱板の役割りも担っている。
【００３３】
このシャーシ２６には、ファン２７が取り付けられている。このファン２７は、本体側筐体２１の内部の空冷用であって、本体側筐体２１（底面カバー２０２）に設けられている排気口２３５（図４，図５参照）の直ぐ内側に位置している。このファン２７は、上下両面から空気を吸い込み排気口２３５側である側面から空気を吹き出す構造のファンである。
【００３４】
また、このシャーシ２６には、ファン２７に隣接した位置に２つの受熱面２６１が設けられている。これら２つの受熱面２６１は、基板２５の、図６に示す面に対する裏面に搭載された２つの発熱電子部品に接し、それらの発熱電子部品の熱をシャーシ２６に逃すための部分である。また、このシャーシ２６には、上面カバー部品２０１側に突出しその裏面側が窪んだＳＳＤ受け部２６２が設けられている。このＳＳＤ受け部２６２には、その底面側（電池パック側）に、ＳＳＤ（Ｓｏｌｉｄ  Ｓｔａｔｅ  Ｄｒｉｖｅ）が収納される。このシャーシ２６はその他にも様々な構造を有するが、ここでの説明は省略し、説明が必要な箇所についてはその都度後述する。
【００３５】
さらに、図６（Ｅ）には、電池パック２４が示されている。この電池パック２４は、この図６（Ｅ）に示す第１面がシャーシ２６に対面するように本体側筐体２１の内側を向き、その第１面に対する裏面である第２面が、外に露出して底面カバー２０２とともに本体装置２０の底面を形成している（図３，図５参照）。
【００３６】
この電池パック２４の、図６（Ｅ）に示されている第１面には、本体装置の奥行き方向に延びる窪み部２４１が形成されている。この窪み部２４１は、ここに示す例では、その奥行き方向に延びた中央部分が分断されている。この理由については後述する。また、この第１面には、この電池パック２４内のバッテリセル（図６には図示せず）を充放電するためのコネクタ２４２が備えられている。
【００３７】
図７は、開状態にあるノートＰＣの、キーボードを取り外した状態を示した斜視図である。また図８は、開状態にあるノートＰＣの、上面カバー部品とキーボードを取り外した状態を示した斜視図である。
【００３８】
本体側筐体２１内には、基板２５が広がっており、その切欠部２５１にはシャーシ２６に搭載されたファン２７が配置されている。
【００３９】
図９は、本体装置からさらに基板を取り外した状態を示した図である。尚、この図９にはサブ基板２９はシャーシ２６側に形成されている。また、この図９では表示装置はその全体が取り外されている。
【００４０】
図９（Ｂ）には、基板２５の、図６〜図８に示す基板面に対する裏面が示されている。この面には、２つの発熱電子部品２５２が搭載されている。これらの発熱電子部品２５２は、図９（Ａ）に示すシャーシ２６の２つの受熱面のそれぞれに接し、シャーシ２７に熱を逃がす構造となっている。また、基板２５の、この図９に示されている面には、後述するＳＳＤ（Ｓｏｌｉｄ  Ｓｔａte  Ｄｒｉｖｅ）との接続用のコネクタ２５３や電池パック２４のコネクタ２４２（図６（Ｅ）参照）との接続用のコネクタ２５４が搭載されている。
【００４１】
図１０は、本体装置底面を上に向け電池パックを取り外した状態を示した図である。この図１０でも、表示装置はその全体が取り外されている。
【００４２】
図１０（Ａ）に示すように、本体装置２０の筐体２１を構成する底面カバー２０２はその中央が大きく開いた枠形状の部材であり、その枠形状の開口には図１０（Ｂ）に示す電池パック２４が嵌入し、底面カバー２０２とともに本体装置２０の底面を形成する構造となっている。
【００４３】
図１０（Ａ）に示すように、底面カバー２０２内にはシャーシ２６が広がっており、そのシャーシ２６には、ファン２７が固定されている。また、このシャーシ２６のＳＳＤ受け部２６２（図６〜図８参照）には、ＳＳＤ２８が収納されている。このＳＳＤ２８は、そのＳＳＤ２８のコネクタ（後述する）と基板上のコネクタ２５３（図９参照）との間がフレキシブル基板４１で接続されている。
【００４４】
また、この図１０（Ａ）にも示すように、本体側筐体を構成する底面カバー２０２の奥側端面には排気口２３５が形成されている。ファン２７は、その排気口２３５の直ぐ内側に配置されている。また、シャーシ２６には、本体装置前面側からファン２７に向かって奥行き方向に延びる溝２６３が形成されている。これは、この本体側筐体内の空気をファン２７に向かって流れ易くするための工夫である。
【００４５】
また、図１０（Ｂ）には、電池パック２４の、本体側筐体の内側を向く第１面が示されている。前述の通り、この第１面には、左右の中央部分に奥行き方向に延びる窪み部２４１が形成されている。この窪み部２４１は、シャーシ２６に形成された溝２６３と位置を合わせて形成されていて、その一部がファン２７と重なる位置まで延びている。この窪み部２４１も、本体側筐体内の空気をファン２７に向かって流すための工夫である。この電池パック２４は、シャーシ２６から僅かに浮いた状態となるように底面カバー２０２に取り付けられ、その状態で電池パック２４のコネクタ２４２が、基板２５上のコネクタ２５４（図９（Ｂ）参照）と組み合う構成となっている。
【００４６】
（ＳＳＤ接続ＦＰＣ機構）
図１１は、本体装置内部のシャーシのＳＳＤ受け部を示した斜視図である。
【００４７】
シャーシ２６には、ＳＳＤ受け部２６２が形成されている。このＳＳＤ受け部２６２は、本体側筐体２１の、シャーシ２６に固定された基板２５（図６，図８等参照）が広がる面内方向に関しその基板２５が収納された領域から外れた領域に設けられている。また、この本体側筐体２１は、基板２５の面内方向に対し立設した横壁２１ａを有する。この横壁２１ａは、ＳＳＤ受け部２６２とともにＳＳＤの安定的な保持を担っている。また、シャーシ２６の、ＳＳＤ受け部２６２の直ぐ脇には、基板２５に搭載されたコネクタ２５３を覗かせる開口２６３が形成されている。このコネクタ２５３は、ＳＳＤ受け部２５２側を向いており、ＳＳＤ受け部２６２側からフレキシブル基板（ＦＰＣ）４１（図１０（Ａ）参照）が差し込まれる構造を有している。また、このＳＳＤ受け部２６２の隅には、ネジ穴が形成されたボス２６４が立設している。
【００４８】
図１２は、ＳＳＤとフレキシブル基板を示した斜視図である。また、図１３は、フレキシブル基板を別の角度から見て示した斜視図である。
【００４９】
ＳＳＤ２８は、全体として板形状を有し、その一方の側面にコネクタ２８１が形成されている。このＳＳＤ２８は、従来から多用されてきたハードディスクドライブと同様の大容量の記憶容量を有する情報記憶装置である。
【００５０】
また、フレキシブル基板４１は、その一端に、ＳＳＤ２８のコネクタ２８１と組み合うコネクタ４１１が固定されており、他端には、基板２５上のコネクタ２５３と組み合うコネクタ（端子列）４１２が形成されている。フレキシブル基板４１１はケーブル部品の一例であって、そのフレキシブル基板４１１には、その一端のコネクタ４１１と他端のコネクタ（端子列）４１２とを接続する多数本の配線が形成されている。
【００５１】
また、このフレキシブル基板４１上のコネクタ４１１に隣接した位置に補強板４１３が固定されている。この補強版４１３の、横に食み出した部分には、固定用の穴４１４が設けられている。この固定用の穴４１４は、フレキシブル基板４１のコネクタ４１１と組み合った状態のＳＳＤ２８がＳＳＤ受け部２６２に収納された状態で、ＳＳＤ受け部２６２の隅に設けられたボス２６４のネジ穴と重なり、ネジ止めされる。
【００５２】
図１４は、ＳＳＤ受け部にＳＳＤを収納させた状態を示した斜視図である。
【００５３】
ＳＳＤ２８は、そのコネクタ２８１（図１２参照）とフレキシブル基板４１のコネクタ４１１とを結合させてＳＳＤ受け部２６２に置かれる。このＳＳＤ２８をＳＳＤ受け部２６２に置くにあたっては、ＳＳＤ２８は、ＳＳＤ２８のコネクタ２８１が本体側筐体２１の側壁２１ａ側を向く姿勢で、すなわち、コネクタ２８１側を正面とすると、基板２５上のコネクタ２５３に背を向けた姿勢で、ＳＳＤ受け部２６２に置かれる。
【００５４】
フレキシブル基板４１は、コネクタ４１１および補強板４１３が配置された一端側で図１４での上方（ノートＰＣ１０の底面側）に折れ曲がり、ＳＳＤ２８と重なる経路を経由して他端のコネクタ（端子列）４１２が基板２５上のコネクタ２５３に達する。
【００５５】
図１５は、フレキシブル基板を基板上のコネクタに接続する様子を示した斜視図である。また図１６は、フレキシブル基板が基板上のコネクタに接続された状態を示した斜視図である。
【００５６】
フレキシブル基板４１のコネクタ（端子列）４１２と基板２５のコネクタ２５３に接続するにあたっては、コネクタ２５３の蓋２５３ａを図１５に示すように開き、フレキシブル基板４１のコネクタ（端子列）４１２を差し込む。その後、コネクタ２５３の蓋２５３ａが閉じられ、これにより基板２５上の回路とＳＳＤ２８が電気的に接続される。
【００５７】
ここで、前述した通り、この上に電池パック２４（図６，図１０参照）が置かれる。その際フレキシブル基板４１は、その電池パック２４により、ＳＳＤ２８側に押される。このフレキシブル基板４１が電池パック２４で押されることにより、ＳＳＤ２８の、ＳＳＤ受け部２６２からの浮き上がりが防止され、ＳＳＤ２８がＳＳＤ受け部２６２内に安定的に保持される。また、電池パック２４の外面は本体装置２０の底面を形成する。ノートＰＣ１０を机の上に置く場合などにその底面に様々な衝撃を受けることがある。ここで、ＳＳＤ２８との間にフレキシブル基板４１が介在していることによりこのフレキシブル基板４１がクッションの役割りを成す。このため、底面に衝撃を受けてもその衝撃がＳＳＤ２８には伝わりにくく、ＳＳＤ２８の保護が図られている。さらに、ＳＳＤ２８は本体側筐体２１の側壁２１ａに隣接した領域に、そのコネクタ２８１をその横壁２１ａに向けた姿勢で収容されており、その狭い領域でフレキシブル基板４１のコネクタ４１１と結合している。このような配置であって、しかもフレキシブル基板４１が電池パック２４により押されるため、コネクタ２８１，４１１どうしが外れてしまうことが防止される。このため、このＳＳＤ２８は、フレキシブル基板４１の、ＳＳＤ２８のコネクタ２８１に接続された部分に隣接した部分一箇所（図１２に示す補強板４１３の穴４１４）が固定されるだけで、ＳＳＤ受け部２６２内に安定的に保持される。
【００５８】
ここでは、ＳＳＤ２８について例示したが、例えばコンパクトフラッシュ（サンディスク  コーポレイションの登録商標）などのＳＳＤ以外の電子部品であっても上記の構造により安定的に保持することができる。
【００５９】
（冷却構造）
図１７は、電池パックをその第１面側から見た斜視図である。この図１７では、第１面側のカバーを透視したときの内部構造が示されている。
【００６０】
この電池パック２４には、その全体を覆うカバー部材２４０内に、左右に並ぶ２つのバッテリセル２４３が配置され、それら２つのバッテリセル２４３どうしの中央に、いずれのバッテリセル２４３も配置されていない領域が存在する。この図１７は、その全体を覆うカバー部材２４０のうちの、本体装置２０の内側を向く第１面側の部分を透視した図である。バッテリセル２４３は、充放電用の端子を一側面に有している。これら２つのバッテリセル２４３は端子が形成された側面を互いの方向に向けた姿勢で配置されている。これら２つのバッテリセル２４３どうしの隙き間には、それらのバッテリセル２４３を充放電するための配線（ここではフレキシブル基板２４４）が配置されている。また、この電池パック２４には、それらのバッテリセルの充放電を制御する制御回路が搭載された制御基板２４５も配置されており、そのフレキシブル基板２４４は、２つのバッテリセル２４３の端子と制御基板２４５とを接続している。さらに、この制御基板２４５とコネクタ２４２との間がもう一本のフレキシブル基板２４６で接続され、外部との間の電力の受け渡しや制御信号の受け渡しを担っている。
【００６１】
２つのバッテリセル２４３どうしの隙き間に延びるフレキシブル基板２４４は、それらのバッテリセル２４３の厚みよりも薄い。そこで、この領域を利用して、この第１面（本体装置内側の面）を覆うカバー部材に窪み部２４１（図６，図１０参照）を形成し、本体装置内の空気の良好な流れに寄与させている。
【００６２】
すなわち、電池パック２４の第１面は、前述の通り基板２５を支持するシャーシ２６（例えば、図６，図１０参照）と対面するように、そのシャーシ２６との間に僅かな隙き間を持って配置される。その隙き間を部分的に広げるように窪み部２４１が形成され、その窪み部２４１は、その奥側の一部がファン２７（例えば図６，図１０参照）と重なる位置まで延びている。この窪み部２４１により、良好な空気流が確保されている。ただし、本実施形態では、制御基板２４５とコネクタ２４２とを接続するフレキシブル基板２４６が２つのバッテリセル２４３どうしの隙き間を横切っているため、この電池パック２４の第１面の窪み部２４１も途中で分断されている。このように分断されていても、この窪み部２４１の存在により空気流が良好となり、放熱効率が向上する。
【００６３】
この電池パック２４の第２面（図１７の裏側の面）は、前述の通り、本体装置の底面を形成している。
【００６４】
図１８は、変形例としての電池パックをその第１面側から見た斜視図である。
【００６５】
この図１８において、図１７の電池パックの各要素と同じ要素には図１７に付した符号と同一の符号を付して示し、相違点のみ説明する。
【００６６】
この図１８の電池パック２４Ａでは、フレキシブル基板２４６Ａは、２つのバッテリセル２４３どうしの隙き間を跨がない経路で制御基板２４５とコネクタ２４２とを接続している。このため、この電池パック２４Ａの第１面には、分断されずに一本に延びた窪み部を形成することができる。この場合、本体装置内部の空気の流れがさらに良好となり、更に高い冷却効率が期待される。
【００６７】
図１９は、このノートＰＣの本体装置の奥側端面を、開状態の内側（表示装置の前面があらわれる側）から見たときの斜視図である。
【００６８】
表示装置３０は、本体装置２０に対し開閉自在に軸支されている。本体装置２０の奥側の端面の中央上部には排気口２３５（図４，図５参照）が形成されている。
【００６９】
表示装置３０は、その表示装置３０を本体装置２０上に閉じた閉状態では、図４に示すように排気口２３５を後方に開放する。一方、この表示装置３０は、その表示装置３０を本体装置２０から開いた開状態では、そのＬＣＤユニット３０の筐体３１の前面下部が排気口２３５と離間してその排気口２３５と対面する。
【００７０】
図２０，図２１は、それぞれ閉状態、開状態のノートＰＣの、奥行き方向の断面図であり、本体装置内の空気の流れを模式的に示した図である。
【００７１】
ノートＰＣ１０が閉状態にあるときは、図２０に矢印で示すように、本体装置２０内の空気はシャーシ２６と電池パック２４との間を流れ、ファン２７に吸入され、排気口２３５から排気される。尚、ここには、シャーシ２６と電池パック２４とに挟まれた領域の空気の流れが示されているが、シャーシ２６と基板２５との間やその他の領域の空気も、部品間の様々な隙き間からファン２７に流れ込み、ファン２７により排気口２３５から排気される。
【００７２】
このノートＰＣ１０は音楽プレーヤとして使用することもでき、その音楽プレーヤとして使用しているときや画面表示が不要な状態にあるときは閉状態のまま処理が可能である。このような閉状態での処理においてもファン２７が動作し、図２０に示すような空気の流れが発生する。
【００７３】
また図２１に矢印で示すように、ノートＰＣ１０が開状態にあるときは、本体装置２０の内部での空気の流れは閉状態にあるときと同じであるが、排気口２３５から排気された空気は表示装置３０の前面に沿って流れる。このノートＰＣ１０が小型のノートＰＣの場合、机の上に置かずとも片手または両手で持って使用することも可能である。そのとき、その排気口２３５から吹き出す排気を傍に居る他人に吹き付けることになっては、迷惑を及ぼすおそれがある。ここでは、このノートＰＣ１０の主な使用態様である開状態において、排気口２３５から排気された空気は表示装置３０の前面に沿って進む構成としたことにより、他人への迷惑が大幅に低減する。
【００７４】
一方、閉状態では排気口２３５から排気された空気は図２０に示すようにそのまま本体装置２０の奥方向に進む。しかしながら、このノートＰＣ１０を閉状態で使用するときは、例えばこのノートＰＣを立てた状態や机上に設置された状態で使用するなど、排気された空気が他人に吹きかけられない姿勢で使用されることも多く、大きな問題は生じない。このノートＰＣ１０は、閉状態でも使用されるが、もっぱら開状態でのみ使用されるノートＰＣの場合、排気口２３５の、閉状態における向きは全く問題にならないことになる。
【００７５】
（ヒンジキャップ取付構造）
次に、表示装置を本体装置に開閉自在に連結しているヒンジ部品を覆うヒンジキャップの取付構造について説明する。
【００７６】
図２２は、左側のヒンジキャップとその周辺の構造を示す部分斜視図である。
【００７７】
このヒンジキャップ３２は、表示装置３０の筐体３１に固定されてヒンジ部品５１の左端部を覆っている。このヒンジ部品５１の右端部は、左端部に対しフリクションを伴って回転自在であって、本体装置側の部材にネジ止めされている。このヒンジ部品５１とヒンジキャップ３１との組合せは、図８に示すように左右に一対存在する。
【００７８】
図２３は、ノートＰＣの右側のヒンジ構造に関し、ヒンジ部品を覆うヒンジキャップを取り外し横に並べて示した図である。
【００７９】
ヒンジ部品５１は、表示装置３０を構成する筐体３１のうちの、背面を覆うリアカバー部品３０２の内側の面（ここではこの面を固定面と称する）に固定されている。この右側のヒンジ部品５１は、その右端部５１１がヒンジキャップ３２で覆われ、左端部５１２は、本体装置側の部品にネジ止め固定される。このヒンジ部品５１は、その右端部５１１に、左端部５１２をフリクションを伴って回転自在に支持する構造を有する。このヒンジキャップ３２は、ヒンジ部品５１の右端部５１１を覆う膨み部３２１と、その膨み部から広がり、表示装置３０（の前面を形成するフロントカバー部品３０１）に支持される支持部３２２とを有する。また、このヒンジキャップ３２は、その支持部３２２から、表示装置３０の前面と平行な方向に突出した係止爪３２５を有する。このヒンジキャップ３２は、以下の第１操作と、その第１操作に続く第２操作とによって、表示装置３０の筐体３１に装着される。先ず第１操作では、ヒンジカバー３２と、表示装置３０の筐体３１を構成するリアカバー部品３０２の内面３０２ａが向いた方向から、ヒンジキャップ３２の係止爪３２５がフロントカバー部品３１１に設けられた開口３１１に入り込むようにして、その筐体３１に突き当てる。第２操作では、その第１操作に続き、ヒンジキャップ３２を筐体３１の表面に沿って左方にスライドさせる。ヒンジキャップ３２は、これら第１操作と第２操作との２つの操作によって筐体３１（のフロントカバー部品３０１）に装着される。
【００８０】
以下、ノートＰＣの右端と左端の一対のヒンジ部品およびヒンジキャップは、互いに左右対称であるため、以降は、図２３に示す、右側のヒンジ部品およびヒンジキャップで代表させて、それらの構造について説明する。
【００８１】
図２４は、ヒンジキャップ３２の内側を示した斜視図である。
【００８２】
このヒンジキャップ３２は、膨み部３２１の内側に横向きに突出した係合ピン３２３を有する。また、このヒンジキャップ３２は、支持部３２２の内側に、表示装置３０の前面に向かって突出した一対の係止突起３２４を有する。また、このヒンジキャップ３２は、支持部３２２から表示装置３０の前面に沿う方向に突出した係止爪３２５を有する。
【００８３】
図２５は、ヒンジキャップの取付構造を示した図である。ここではヒンジキャップ３２の内側の構造が破線で示されている。また、図２６は、ヒンジキャップを取り付けた状態を示した模式図である。この図２６ではヒンジキャップ３２は二点鎖線で示されている。
【００８４】
ヒンジキャップ３２に設けられた係止爪３２５は、上述した第１操作で開口３１１に入り込み、それに続く第２操作でフロントカバー３０１の前面３０１ａを構成する板材３０１ｂの下に入り込んで、そのフロントカバー３０１からの、ヒンジキャップ３２の浮きを防止する。ここでは、この開口３１１および板材３０１ｂによる係止構造を有する部分を係止受部と称する。
【００８５】
ＬＣＤユニットのフロントカバー部品３０１には、開口３１１とは別の、もう１つの開口である係止開口３１２が設けられている。この係止開口３１２は、上述した第１操作で、ヒンジキャップ３２に設けられた一対の係止突起３２４を受け入れる第１受入部３１２ａと、その係止突起３２４を第２操作で受け入れる第２受入部３１２ｂとを有する。この係止開口３１２は、さらに、それら第１受入部３１２ａと第２受入部３１２ｂとの間に設けられた、第１受入部３１２ａおよび第２受入部３１２ｂよりも狭幅の狭幅部３１２ｃを有する。ヒンジキャップ３２に設けられた一対の係止突起３２４は、第１受入部３１２ａおよび第２受入部３１２ｂの幅に対応した間隔で設けられている。したがって、これら一対の係止突起３２４は、狭幅部３１２ｃを通過する際に抵抗を受けて弾性的に撓むことになる。すなわち、この狭幅部３１２ｃは、上述の第１操作で第１受入部３１２ａに入り込んだ係止突起３２４が第２操作で第２受入部３１２ｂに移動する際に弾性的に乗り越える障壁として作用する。これにより、第２操作後のヒンジキャップ３２は、容易には外れないように表示装置３０の筐体３１に対し固定される。
【００８６】
さらにヒンジ部材５１には、表示装置筐体３１に立設してその右端部５１１を支持する支持部５１３を有し、その支持部５１３には、係合穴５１３ａが形成されている。一方、ヒンジキャップ３２に設けられた係合ピン３２３は、第２操作におけるスライド方向前方を向いて突出しており、第２操作の際にその係合ピン３２３が係合穴５１３ａに入り込む。これにより、ヒンジキャップ３２は表示装置３０の筐体３１に一層強固に固定される。
【００８７】
このように、この実施形態のヒンジキャップの場合、一切ネジ止めすることなく固定される。ネジ止め構造の場合、ヒンジキャップやそれを固定するネジのほかさらにそのネジの頭を覆うパッチ部品も必要となり、部品点数が増えるが、本実施形態では、ヒンジキャップのみで済み、部品点数や組立工数が削減される。
【００８８】
（ＬＣＤ外れ防止構造）
図２７は、表示装置を構成するフロントカバー部品と表示モジュールを並べて示した図である。また、図２８は、それらフロントカバー部品と表示モジュールを組立方向に間を空けて重ねて示した分解斜視図である。さらに、図２９は、表示モジュールをその背面側から見て示した斜視図である。
【００８９】
表示モジュール３３は、前面に表示画面３３２ａを有するＬＣＤ（液晶表示装置）ユニット３３２と、そのＬＣＤユニット３３２の前面に固着されたタッチパネル３３１とを有する。ＬＣＤユニット３３２の表示画面３３２ａ上の画像は、タッチパネル３３１を透かして視認される。タッチパネル３３１は、ＬＣＤユニット３３２よりも広い面積を有し、前述した通り、ＬＣＤユニット３３２から左右に食み出した領域は、タッチ式のボタン３３０として使用されている（図１参照）。
【００９０】
また、ＬＣＤユニット３３２は、図２９に示すように、その背面に制御用の制御基板３３３を搭載している。また、そのＬＣＤユニット３３２の左右の端面は金属板３３４で支持されている。その金属板３３４の、ＬＣＤユニット３３２の前面から背面側に離れた部分が外方に鉤形に折り曲げられて、ＬＣＤユニット３３２の前面と平行に突出した突出片３３４ａが形成されている。ＬＣＤユニット３３２の左右いずれにも、互いに間を開けた２箇所に突出片３３４ａが形成されている。一方の側の２箇所の突出片３３４ａの間隔が広く開いているのは、それら２箇所の突出片３３４ａどうしの間にこの表示モジュール３３の制御基板３３２ａとこの表示モジュール３３の外部とを接続するフレキシブル基板３３９（図２７参照）を通過させるためである。
【００９１】
この表示モジュール３３を構成するタッチパネル３３１はその前面全体が表示装置３０の前面にあらわれている必要があり、そのため、この表示モジュール３３は、以下のようにして、表示装置３０を構成するフロントカバー部品３０１に取り付けられる。
【００９２】
フロントカバー部品３０１には、開口６１１が設けられている。この開口６１１は、表示モジュール３３を構成するＬＣＤユニット３３２を通過させ、タッチパネル３３１のＬＣＤユニット３３２から食み出た食出し領域を、フロントカバー部品３０１の前面に突き当てさせる寸法を有する。このフロントカバー部品３０１は、その前面の、タッチパネル３３１の、ＬＣＤユニット３３２から食み出た食出し領域３３１ａを受ける領域に、その食出し領域３３１ａが嵌入する窪み部６１２を有する。この窪み部６１２の深さはタッチパネル３３１の厚みとほぼ等しい。したがってタッチパネル３３１の食出し領域３３１ａがこの窪み部６１２に嵌入することによって表示装置３０の前面はほぼ１つの平面として構成される。図２８に示すように、左右の窪み部６１２には、両面粘着テープ６１３が貼着され、その上に、開口６１１にＬＣＤユニット３３２が入り込んだ状態でタッチパネル３３１の食出し領域３３１ａが乗る。その両面粘着テープ６１３により、タッチパネル３３１を含む表示モジュール３３がそのフロントカバー部品３０１に接着固定される。
【００９３】
ただし、表示モジュール３３は、このままでは、背面側から力を受けたときにフロントカバー部品３０１から浮くおそれがある。この表示装置３０の背面は、リアカバー部品３０２で覆われるが（図３参照）、この両面粘着テープ６１３による接着固定のみでは、表示モジュール３３の浮き上がりの防止策としては不充分である。そこで、本実施形態では、以下の構造により、表示モジュール３３の浮き上がりを防止している。
【００９４】
図３０，図３１は、ＬＣＤユニットの左右のうちの各一方の突出片の部分を示した斜視図である。
【００９５】
図３０，図３１に示すように、左右の突出片３３４ａとタッチパネル３３１の裏面との間には隙き間６１０が形成されている。この隙間６１０は、フロントカバー部品３０１の、開口６１１の縁の部分の厚みよりも広く空いている。
【００９６】
図３２は、表示モジュールが貼着された状態のフロントカバー部品の背面を示した斜視図である。また、図３３は、組立後の表示装置の部分断面図である。
【００９７】
ここでは、２本の押え部材６１４が用意され、各押え部材６１４は、フロントカバー部品３０１の背面と突出片３３４ａとの間の左右の隙き間６１０ａに嵌入される。この隙き間６１０ａは、図３０，図３１に示す隙き間６１０からフロントカバー部品３０１の、開口６１１の縁の部分の厚みを差し引いた残りの隙き間である。
【００９８】
各押え部材６１４には、それぞれ２つのネジ止め用の穴６１４ａが設けられている。一方、フロントカバー部品３０１は、その背面の左右２箇所ずつに、中央にネジ穴が設けられたボス６１５を有する。各押え部材６１４が各隙き間６１０ａに嵌入されると、各押え部材６１４の穴６１４ａが各ボス６１５のネジ穴と連通し、各押え部材６１４は、それらの各２箇所でフロントカバー３０１にネジ止めされる。
【００９９】
この構造により、表示モジュール３３がその背面側から力を受けても、タッチパネル３３１の、フロントカバー部品３０１からの浮き上がりが防止される。
【０１００】
前述した通り、さらに、ＬＣＤユニット３３２の背面側がリアカバー部品３０２（図３，図３３参照）で覆われて表示装置３０の組立てが完了する。その後、前述したようにして、本体装置２０との間のヒンジ接続が行なわれる。
【０１０１】
ここでは、ＬＣＤユニットについて例示したが、例えばＰＤＰユニットや有機ＥＬディスプレイユニットなど他種別のＬＣＤユニットを採用してもよく、ＬＣＤユニットの種別が問われるものではない。
【符号の説明】
【０１０２】
１０    ノートＰＣ
２０    本体装置
３０    表示装置
２１    本体側筐体
２１ａ    横壁
２４    電池パック
２５    基板
２６    シャーシ
２７    ファン
２８    ＳＳＤ
３１    筐体
３２    ヒンジキャップ
３３    表示モジュール
４１，２４４，２４６，２４６Ａ，３３９    フレキシブル基板
５１    ヒンジ部品
２０１    上面カバー部品
２０２    底面カバー部品
２２４    キーボード
２２９，２３３    吸気口
２３５    排気口
２４０    カバー部材
２４１，６１２    窪み部
２４３    バッテリセル
２４５，３３３    制御基板
２５１    切欠部
２５２    発熱電子部品
２５３    コネクタ
２６１    受熱面
２６２    ＳＳＤ受け部
２６４，６１５    ボス
３０１    フロントカバー部品
３０１ｂ    板材
３０２    リアカバー部品
３１１，６１１    開口
３１２    係止開口
３１２ａ    第１受入部
３１２ｂ    第２受入部
３１２ｃ    狭幅部
３２１    膨み部
３２２，５１３    支持部
３２３    係合ピン
３２４    係止突起
３２５    係止爪
３３１    タッチパネル
３３１ａ    食出し領域
３３２    ＬＣＤユニット
３３２ａ    表示画面
３３４    金属板
３３４ａ    突出片
４１２    コネクタ（端子列）
４１３    補強板
４１４，６１４ａ    穴
５１１    右端部
５１２    左端部
５１３ａ    係合穴
６１０，６１０ａ    隙き間
６１３    両面粘着テープ
６１４    押え部材
【図１】
0005454583.tif 000002
【図２】
0005454583.tif 000003
【図３】
0005454583.tif 000004
【図４】
0005454583.tif 000005
【図５】
0005454583.tif 000006
【図６】
0005454583.tif 000007
【図７】
0005454583.tif 000008
【図８】
0005454583.tif 000009
【図９】
0005454583.tif 000010
【図１０】
0005454583.tif 000011
【図１１】
0005454583.tif 000012
【図１２】
0005454583.tif 000013
【図１３】
0005454583.tif 000014
【図１４】
0005454583.tif 000015
【図１５】
0005454583.tif 000016
【図１６】
0005454583.tif 000017
【図１７】
0005454583.tif 000018
【図１８】
0005454583.tif 000019
【図１９】
0005454583.tif 000020
【図２０】
0005454583.tif 000021
【図２１】
0005454583.tif 000022
【図２２】
0005454583.tif 000023
【図２３】
0005454583.tif 000024
【図２４】
0005454583.tif 000025
【図２５】
0005454583.tif 000026
【図２６】
0005454583.tif 000027
【図２７】
0005454583.tif 000028
【図２８】
0005454583.tif 000029
【図２９】
0005454583.tif 000030
【図３０】
0005454583.tif 000031
【図３１】
0005454583.tif 000032
【図３２】
0005454583.tif 000033
【図３３】
0005454583.tif 000034